(57)【要約】【課題】ユーザが、デジタル機器を外部装置に接続して行った作業（処理動作）の内容、すなわち通信の種別を判断することにより、接続が断となった後のデジタル機器の電源の状態を、適切に（適応的に）制御できるようにすること。【解決手段】外部装置とデータの授受を行うための通信手段を備え、外部装置と接続し各種データの送受信が可能なデジタル機器において、通信手段により通信されている通信の種別を判断するための通信種別判断手段と、通信種別判断手段により判断された通信種別を保持するための通信種別保持手段と、外部装置との接続状態を検出するための接続検出手段と、本デジタル機器の電源供給状態を制御するための電源制御手段とを設け、接続検出手段により外部機器と接続が断となったことを検出した場合、通信種別保持手段に保持されている通信種別をもとに、電源制御手段により本デジタル機器の電源供給状態を制御する。【選択図】      図１
2005011200.tif 000002
【特許請求の範囲】
【請求項１】
外部装置とデータの送受信を行うための通信手段を備え、前記外部装置と接続し各種データの送受信が可能なデジタル機器において、
前記通信手段により通信されている通信の種別を判断するための通信種別判断手段と、前記通信種別判断手段により判断された通信種別を保持するための通信種別保持手段と、前記外部装置との接続状態を検出するための接続検出手段と、本デジタル機器の電源供給状態を制御するための電源制御手段とを設け、
前記接続検出手段により前記外部機器と接続が断となったことを検出した場合、前記通信種別保持手段に保持されている通信種別をもとに、前記電源制御手段により本デジタル機器の電源供給状態を制御することを特徴とするデジタル機器。
【請求項２】
請求項１に記載のデジタル機器において、
前記外部機器との通信は有線によって行われ、前記接続検出手段は、接続ケーブルが物理的に抜かれたことを検出した場合、あるいは、接続ケーブルは物理的に繋がっているもソフトウェア的に接続が絶たれたことを検出した場合に、前記外部機器と接続が断となった状態とみなすことを特徴とするデジタル機器。
【請求項３】
請求項１に記載のデジタル機器において、
前記外部機器との通信は近距離無線通信方式による無線によって行われ、前記接続検出手段は、本デジタル機器が前記外部機器と無線通信可能なエリア内から出たことを検出した場合、あるいは、本デジタル機器が前記外部機器と無線通信可能なエリア内にあるも、ソフトウェア的に接続が絶たれたことを検出した場合に、前記外部機器と接続が断となった状態とみなすことを特徴とするデジタル機器。
【請求項４】
請求項１乃至３のいずれか１項に記載のデジタル機器において、
前記通信種別が本デジタル機器から前記外部装置へのデータの送信を示すものであった際に、前記外部機器と接続が断となったことを検出した場合には、前記電源制御手段は本デジタル機器の電源をオフ状態にすることを特徴とするデジタル機器。
【請求項５】
請求項１乃至４のいずれか１項に記載のデジタル機器において、
本デジタル機器は、電池により電源供給されるデジタルカメラであることを特徴とするデジタル機器。
【発明の詳細な説明】
【０００１】
【発明の属する技術分野】
本発明は、デジタルカメラなどのデジタル機器に係り、特に、当該デジタル機器と外部の電子装置との間で通信を行った後、接続が断となった場合におけるデジタル機器の適応的な省電力技術に関するものである。
【０００２】
【従来の技術】
近年、ＣＣＤなどの半導体撮像素子により被写体像を電気信号に変換し、デジタル信号に変換した後、フラッシュメモリや固定ディスク、光ディスクなどの記録媒体に記録する、いわゆるデジタルカメラが広く普及している。このデジタルカメラにおいては、一般的に、デジタルカメラ内の記録媒体に記録された画像データを、パーソナルコンピュータ（以下、パソコンと記す）やプリンタなどに転送するための、デジタル信号の入出力手段が備わっている。このデジタル信号の入出力手段としては、ＵＳＢ（Ｕｎｉｖｅｒｓａｌ  Ｓｅｒｉａｌ  Ｂｕｓ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  Ｉｎｃ．）１３９４などの通信規格に準拠した接続端子や、無線通信規格に準拠した無線通信手段が用いられることが多い。前記した接続手段や無線通信手段を用いて、ユーザはパソコンに代表される外部装置との間で、画像データなどのやりとりをしている。
【０００３】
ここで、デジタルカメラをパソコンと接続し、画像データを送受信しようとしたものの、通信トラブル等の事情で通信がうまく行えなかった場合には、画像データの転送ができないので、デジタルカメラを使用しないにもかかわらずユーザが電源をオフしないと電源がオンのままとなってしまう。このため、ユーザが電源をオフすることを忘れると、デジタルカメラの電池を無駄に消耗してしまうことになる。
【０００４】
こういったパソコン等の外部装置との通信不可時などに、デジタルカメラの電源をオフすることを忘れることによる、電池の無駄な消耗を防ぐ従来の手法としては、パソコンとの接続が断たれた後、または、パソコンと通信が正常に行われなかった場合には、自動的にデジタルカメラの電源をオフして省電力を図り、かつ、ユーザに通信が断たれたことの告知を行うような手法が考えられている。さらには、通信が断たれたときのデジタルカメラのモードにより、電源をオフしたり、別のモードに切り替えるようにすることも提案されている。すなわち、例えば、再生モードのときに通信が断した際には、電源をオフするが、記録モードのときに通信が断した際には、電源をオフするのではなく、別のモードに切り替えるようにした技術が知られている（例えば、特許文献１参照）。
【０００５】
【特許文献１】
特開２００２−２６２１７２号公報
【０００６】
【発明が解決しようとする課題】
ところで、デジタルカメラをパソコンに接続した場合の処理動作としては、
（１）デジタルカメラからパソコンへ画像データを転送（送信）する、
（２）パソコンで加工した画像データをデジタルカメラへ転送（送信）する、
（３）パソコンからデジタルカメラの設定を変更する、
などの処理動作がある。このように種々の処理動作を行うが、デジタルカメラの動作モードが同じでも、画像データの授受の態様が違う場合があるので（デジタルカメラが画像データを送信する場合と、受信する場合とがあるので）、処理動作の種別によっては、画像データの転送の後、通信ケーブルが抜かれて接続が断となった場合でも、デジタルカメラの電源をオフしないほうが良い場合がある。
【０００７】
例えば、前記（１）のデジタルカメラからパソコンへ画像を転送する処理の場合においては、画像データをパソコンに転送した後は、ユーザはパソコンでその転送された画像データを加工したり、印刷したりといった作業を行うことが多いため、デジタルカメラを使用しないにもかかわらずデジタルカメラの電源をオフすることに意識が向かわないので、デジタルカメラの電源をオフすることを忘れオンのままとなり電池を無駄に消耗してしまうことがあるため、この場合には、自動的に電源がオフするような構成になっていることが望ましい。
【０００８】
また、前記（２）のパソコンで加工した画像データをデジタルカメラへ転送する処理の場合においては、パソコンからの画像のデータ受信後に、パソコンからデジタルカメラへ画像データが正しく転送されたかを確認するために、ユーザはデジタルカメラで転送されてきた画像データの再生を行うことが多いため、この場合には、自動的にデジタルカメラの電源がオフしない構成の方が好ましい。
【０００９】
つまり、デジタルカメラが同じ記録モードである際にも、撮影部（カメラユニット）からの画像を記録しながらパソコンに画像データを転送する前記（１）の場合と、パソコンから受信した画像データを記録する前記（２）の場合とがあるので、データ送受信後、接続が断となったときには（互いに相手を認識していて、いつでも通信が可能な状態が絶たれたときには）、同じ記録モードであっても、画像データの送受信の種類により、接続が断した後の電源制御を変えることが望まれる。
【００１０】
さらに、前記（３）のパソコンからデジタルカメラの設定を変更する処理の場合でも、パソコンからの設定用データの受信後に、ユーザは正しく設定が行われたかどうかを確認するのが一般的であると考えられるため、この場合にも、自動的にデジタルカメラの電源がオフしない構成の方が好ましい。
【００１１】
上述したように、外部装置とデータ授受を行った後に、接続ケーブルを抜くなどして接続が断となった後のデジタルカメラの電源制御は、接続が断となる前の外部装置とデジタルカメラとの間の通信の種別を（デジタルカメラからのデータ送信であるのか、パソコンからのデータ送信であるのかを）加味して、適応的に行うことが望まれる。
【００１２】
しかしながら、前記特許文献１に記載の技術では、通信不可時のカメラの動作モードを判断基準として、通信不可後の電源制御を切り替えており、外部装置とデジタルカメラとの間の最後の通信種別を加味して、電源制御を行うということに関しては、配慮が払われていない。このため、デジタルカメラから画像を記録しながらパソコンに画像データを転送する前記した（１）のケースの際には、前記特許文献１に記載の技術では、接続ケーブルを抜くなどして接続が断となった後に、自動的にデジタルカメラの電源をオフすることができなかった。こうした場合には、先にも述べたようにデジタルカメラの電源はオンのままとなっているので、電池を無駄に消耗してしまうこととなる。
【００１３】
本発明の目的は、ユーザが、デジタルカメラなどのデジタル機器を外部装置に接続して行った作業（処理動作）の内容、すなわち通信の種別を判断することにより、接続が断となった後のデジタル機器の電源の状態を、適切に（適応的に）制御できるようにすることにある。
【００１４】
【課題を解決するための手段】
本発明は前記目的を達成するため、外部装置とデータの送受信を行うための通信手段を備え、前記外部装置と接続し各種データの送受信が可能なデジタル機器において、前記通信手段により通信されている通信の種別を判断するための通信種別判断手段と、前記通信種別判断手段により判断された通信種別を保持するための通信種別保持手段と、前記外部装置との接続状態を検出するための接続検出手段と、本デジタル機器の電源供給状態を制御するための電源制御手段とを設け、
前記接続検出手段により前記外部機器と接続が断となったことを検出した場合、前記通信種別保持手段に保持されている通信種別をもとに、前記電源制御手段により本デジタル機器の電源供給状態を制御するように、構成される。
このように、接続が断となった後のデジタル機器の電源の状態を、接続が断となる前の通信種別に基づき（すなわち、ユーザが行った作業の内容に基づき）適応的に制御できるので、使い勝手を損なわず、かつ、必要な場面には自動的に電源をオフするようにできるので、電池を電源とするデジタル機器の、ユーザによる電源の切り忘れによる電池の消耗を回避できる。よって、電池駆動のデジタルカメラなどのデジタル機器の省電力が図られ、１回の充電で長時間の駆動が可能となる。
【００１５】
【発明の実施の形態】
以下、本発明の実施の形態を、図面を用いて説明する。
【００１６】
図１は、本発明の一実施形態に係るデジタルカメラの構成図である。図１において、１０１はカメラユニット、１０２はＡ／Ｄコンバータ、１０３はＣＰＵ（Ｃｅｎｔｒａｌ  Ｐｒｏｃｅｓｓ  Ｕｎｉｔ）、１０４は作業用メモリ、１０５はＣＯＤＥＣ（Ｃｏｒｄｅｒ／Ｄｅｃｏｒｄｅｒ；符号化復号化回路）、１０６は作業用メモリ、１０７はサブＣＰＵ、１０８は操作キー群、１０９はメモリカード、１１０はＰＨＹ部（Ｐｈｙｓｉｃａｌ  Ｌａｙｅｒ部；インターフェース回路部）、１１１はパソコン接続端子、１１２はＤ／Ａコンバータ、１１３は出力回路、１１４は液晶モニタ、１１５は電源回路である。また、ＣＰＵ１０３内において、１０３ａは通信種別判断手段、１０３ｂは通信種別保持手段、１０３ｃは接続検出手段、１０３ｄは電源制御手段である。
【００１７】
図１に示す構成において、被写体は、カメラユニット１０１によって撮像され、アナログの電気信号からなるアナログ映像信号としてＡ／Ｄコンバータ１０２に入力される。一方、カメラユニット１０１からのアナログ映像信号は、出力回路１１３にも入力され、液晶モニタ１１４に表示される。ここで表示される映像は、ユーザが撮影アングルを決めるのに利用されるプレビュー画像である。
【００１８】
まず、撮影および記録時の動作について説明する。Ａ／Ｄコンバータ１０２に入力されたアナログ映像信号はデジタル映像信号に変換され、ＣＰＵ１０３に入力される。一方、操作キー群１０８から入力された操作信号は、サブＣＰＵ１０７によってチャタリング防止などの処理が行われ、キー操作の結果がＣＰＵ１０３に入力される。ＣＰＵ１０３は、操作キー群１０８からの入力が「シャッターボタン押下」であった場合は、Ａ／Ｄコンバータ１０２から入力されたデジタル映像信号をＣＯＤＥＣ１０５およびＤ／Ａコンバータ１１２に転送する。ＣＯＤＥＣ１０５は、入力されたデジタル映像信号をＪＰＥＧ（Ｊｏｉｎｔ  Ｐｈｏｔｏｇｒａｐｈｉｃ  Ｅｘｐｅｒｔｓ  Ｇｒｏｕｐ）やＭＰＥＧ（Ｍｏｔｉｏｎ  Ｐｉｃｔｕｒｅ  Ｅｘｐｅｒｔｓ  Ｇｒｏｕｐ）などの静止画、動画圧縮規格に準拠した方式で圧縮符号化を行い、圧縮されたデジタル映像信号としてＣＰＵ１０３に転送される。ＣＰＵ１０３にＣＯＤＥＣ１０５から入力された圧縮されたデジタル映像信号は、ＣＰＵ１０３によって、メモリカード１０９に映像ファイルとして変換出力され、記録される。なお、作業用メモリ１０６は、ＣＯＤＥＣ１０５がデジタル映像圧縮処理を行う際の作業用のメモリである。
【００１９】
一方、Ｄ／Ａコンバータ１１２に入力されたデジタル映像信号は、アナログ映像信号に変換出力され、出力回路１１３を経由し液晶モニタ１１４に表示される。この表示は、シャッターを押した際にどのような映像が撮影されたかをユーザが確認するための確認映像となる。
【００２０】
次に、再生時の動作について説明する。メモリカード１０９に保存されている映像ファイルがＣＰＵ１０３によって読み出され、ＣＯＤＥＣ１０５によって復号化処理が行われ、復号化されたデジタル映像信号としてＣＰＵ１０３に戻される。該復号化されたデジタル映像信号は、そのあとＤ／Ａコンバータ１１２によってアナログ映像信号に変換され、出力回路１１３を経由して液晶モニタ１１４に表示される。このような一連の動作は、操作キー群１０８を用いて行われるユーザからの映像再生指示操作によって実行される。ユーザは、操作キー群１０８を使ってメモリカード１０９中の任意の画像ファイルを選択し、再生指示操作をすることにより、任意の映像を液晶モニタ１１４に再生することができる。
【００２１】
ＰＨＹ部１１０は、本実施形態のデジタルカメラをパソコンに接続し各種データ（画像データや設定用のデータ）及び／またはヘッダー情報などの各種情報を通信するためのインターフェース回路であり、また、パソコン接続端子１１１は、パソコンと接続するための本実施形態のデジタルカメラのコネクタ部分であり、ここに接続ケーブルを接続する。ＰＨＹ部１１０は、ＣＰＵ１０３が扱う圧縮されたデジタル映像信号を、ＵＳＢ（Ｕｎｉｖｅｒｓａｌ  Ｓｅｒｉａｌ  Ｂｕｓ）規格等に従った信号に変換する。本実施形態では、近年パソコンとの接続において一般的なＵＳＢ規格を例として挙げたが、必ずしもＵＳＢ規格に限定するものではない。さらには、有線による通信以外にも、近距離無線通信規格に準拠した無線通信手段を用いて、無線によってパソコンなどの外部装置と通信を行う構成であっても構わない。
【００２２】
次に、本実施形態のデジタルカメラとパソコンとの間で、画像データや設定用データの送受信を行った後、デジタルカメラとパソコンとの接続が断となったときの、デジタルカメラの電源制御について説明する。なお、画像データや設定用データの送信に際して、データ本体の送信の前後に、デジタルカメラとパソコンとの間で各種情報が互いに送受信されるが、本発明ではこれらを含めて、画像データや設定用データの送信と、まるめて称している。また、本発明でいう「接続が断となる」とは、デジタルカメラとパソコンとの通信が有線によって行われる場合には、接続ケーブルが物理的に抜かれること、あるいは、接続ケーブルは物理的に繋がっているもソフトウェア的に（論理的に）接続が絶たれたことを意味し、また、デジタルカメラとパソコンとの通信が近距離無線通信方式による無線によって行われる場合には、デジタルカメラがパソコンと無線通信可能なエリア内から出ること、あるいは、デジタルカメラがパソコンと無線通信可能なエリア内にあるも、ソフトウェア的に（論理的に）接続が絶たれたことを意味する。なおまた、前記のソフトウェア的に接続を絶つ側は、デジタルカメラであってもパソコンであってもよく、例えば、互いに相手のマシンを認識しておりいつでも通信可能な状態（通信スタンバイ状態）になるとタイマを起動させて、所定時間を経過すると、ソフトウェア的に接続を絶つようにされる。
【００２３】
ここで、以下の説明では記述を簡略化するために、「接続が断となる」を代表して、接続ケーブルが（物理的に）抜かれると記載する。
【００２４】
本実施形態のデジタルカメラでは、パソコン接続端子１１１によって入出力されるすべてのデータは、ＣＰＵ１０３によって処理される。例えば、デジタルカメラで撮影しメモリカード１０９に保存した画像データをパソコンに転送（送信）する場合は、メモリカード１０９内の要求された映像ファイルをＣＰＵ１０３が読み込み、ＰＨＹ１１０、パソコン接続端子１１１を経由して、パソコンに送信する。また、パソコンからデジタルカメラに画像データを転送する場合は、パソコン接続端子１１１、ＰＨＹ１１０を経由して、ＣＰＵ１０３が画像データの受信を行い、メモリカード１０９に対して受信した画像データ（映像ファイル）の書き込みを行う。さらに、パソコンからデジタルカメラの設定を変更する場合は、パソコン接続端子１１１、ＰＨＹ１１０を経由して、パソコンからの所定の設定用のデータをＣＰＵ１０３が受信し、ＣＰＵ１０３内に保持している各種設定情報を変更する。
【００２５】
ここで、デジタルカメラの設定の変更について補足する。デジタルカメラは一般的に操作用のキー数が少なく、デジタルカメラ側において設定を変更する操作は、多数の操作と時間を要するのでユーザにとっては煩わしい作業となる。そこで、最近のデジタルカメラは、パソコン側でカメラの設定変更を行えるようになっており、パソコン側で、例えば、シャッタ音の種別や、セルフタイマ音の種別や、起動時の待ち受け画像や、カメラの特定キー押下での短縮操作などを、設定可能となっている。前記のパソコンからの所定の設定用のデータとは、このような設定を行うためのデータである。
【００２６】
図１に示すように、ＣＰＵ１０３内には、通信されている通信が画像データの送信なのか受信なのか等の種別を判断するための通信種別判断手段１０３ａと、通信種別判断手段１０３ａにより判断された最新の通信種別を書き替えて保持するための通信種別保持手段（保持領域）１０３ｂと、パソコンとの接続状態すなわち接続が断であるか否かを検出するための接続検出手段１０３ｃと、電源回路１１５からの電源供給状態を制御するための電源制御手段１０３ｄとが設けられている。ＣＰＵ１０３は、画像データ等を通信しているときには、通信種別判断手段１０３ａにより通信種別を判断し、識別した最新の通信種別を、通信種別保持手段１０３ｂに記憶保持している。そして、通信を終了した後に接続ケーブルが抜かれると、接続検出手段が１０３ｃがパソコンとの接続が断となったことを検出し、これにより電源制御手段１０３ｄが、直前に通信していた通信種別を通信種別保持手段１０３ｂから読み出し、その通信種別をもとにして電源回路１１５を適応的に制御する。
【００２７】
本実施形態では、例えば、デジタルカメラからパソコンへ画像データを送信した後に接続ケーブルが抜かれた場合には、デジタルカメラから画像データを送信したという通信種別が通信種別保持手段１０３ｂに記憶されているので、これをもとに、電源回路１１５をオフする制御がなされるようになっている。これにより、パソコンへ画像データを送信し、接続が断となった後は、自動的にデジタルカメラの電源がオフとなるので、省電力を図れ、以って、ユーザのカメラ電源切り忘れによる電池の消耗を回避できる。なお、本実施形態では、このような処理動作は、ＣＰＵ１０３が通信種別監視プログラムによって制御するようになっており、この通信種別監視プログラムは、デジタルカメラとパソコンとが接続ケーブルで接続された時点で、稼働を開始する。具体的な通信種別監視プログラム内の動作の流れについては後述する。
【００２８】
次に、本実施形態による電源制御の処理の流れを、図２、図３を用いて説明する。図２は、本実施形態のデジタルカメラにおける通信種別監視プログラムの処理の流れを示している。この図２に示した処理は、ＣＰＵ１０３によって実行される処理の一部であり、電源制御処理に関する通信種別監視プログラム部分の処理である。本実施形態では、この他にパソコンとの通信処理（画像の入出力や設定変更を受け付ける処理）などがあり、これにより画像データなどの送受信処理を行っているが、図２に示した処理はその通信処理を監視するための処理である。図示していないが、パソコンとのデータの送受信などの通信処理は、図２におけるステップ２０１〜２０２が動作している間、別のプログラムの処理によって、任意のタイミングで実行されている。図３は、本実施形態の電源制御のための情報である通信種別の内容を示す表図である。
【００２９】
まず、本実施形態のデジタルカメラが接続ケーブルでパソコンと接続されると、デジタルカメラは接続されたことを検出し、デジタルカメラのモードは通信モードに切り替わり、ステップ２０１で現在の通信種別の調査が行われ、ステップ２０１１で、図３の表をもとに通信種別により処理の分岐を行う。
【００３０】
本実施形態では、通信種別として、Ａ．デジタルカメラからパソコンへの画像データの送信、Ｂ．パソコンからデジタルカメラへ送信された画像データの受信、Ｃ．パソコンからデジタルカメラへ送信された設定用のデータの受信、Ｄ．通信が維持されていることを確認する通信の、４種類があり、Ａの通信種別は「１」群、ＢとＣの通信種別は「２」群、Ｄの通信種別は「３」群に、それぞれ分類されるようになっている。そして、「１」群と「２」群の通信種別が、通信種別保持手段１０３ｂへの記憶保持の対象となるようにされている。
【００３１】
ステップ２０１１の判定で、通信種別が実際にデータ通信を行っていたことを示すＡ、Ｂ、Ｃの通信種別、すなわち図３中の「１」群または「２」群の場合には、通信種別の記憶保持の対象になり、ステップ２０１２で、通信種別保持手段１０３ｂに通信種別の情報を保持し、ステップ２０２に進む。ステップ２０１１の判定で、通信種別がＤである場合、すなわち図３中の「３」群の場合には、通信種別の記憶保持の対象にならず、ステップ２０２に進む。
【００３２】
次に、ステップ２０２において、接続が断となったか否かを、すなわち接続ケーブルが抜かれたか否かを判断し、ＮＯ判定された場合には、ステップ２０１に戻る。なおここで、保持されるのは最後に通信の行われた通信の種別であって、「１」群か「２」群かのどちらか一方の値である。例えば、「１」群の通信が行われた後、「２」群の通信が行われ、そのあと「３」群の通信が行われた場合、「１」群より「２」群の通信の方が時間的に後であり、「３」群は保持の対象とならないので、ＣＰＵ１０３内に保持される値は「２」群を示す「２」となる。
【００３３】
一方、ステップ２０２においてＹＥＳ判定された場合には（デジタルカメラとパソコンとの間の接続が断となったと判定された場合、すなわち接続ケーブルが抜かれた場合には）、ステップ２０３に遷移する。ステップ２０３では、ステップ２０１２で保持された内容、すなわち分類を示す保持値をもとに、処理の分岐を行う。
【００３４】
ステップ２０３の判定で保持された内容が「１」群に属する場合には、ステップ２０４で、電源回路１１５を制御して電源の切断が行われる。これにより、パソコンへ画像データを転送し、接続が断となった後は、自動的に電源がオフとなるので省電力を図れ、特に電源の切り忘れによる電池の消耗を回避できる。なお、ステップ２０４では即電源がオフされるようにしたが、一定時間経過後に電源がオフされるようにしても良い。
【００３５】
また、ステップ２０３の判定で保持された内容が「２」群に属する場合には、ステップ２０５で、通信モードに切り替わる前の状態（撮影モードや再生モード）に遷移する。例えば、通信前に再生モードでパソコンと接続された場合には、接続が断となった後に、再生モードに遷移する。これによって、例えば、パソコンで加工した画像データをデジタルカメラへ転送する処理の場合においては、接続が断となった後に、デジタルカメラの電源はオフされないので、パソコンからの画像データ受信後に、ユーザはデジタルカメラで転送されてきた画像データの再生・確認を直ちに行うことができ、使い勝手を損なわない。
【００３６】
なお、上述した実施形態では、デジタルカメラからパソコンに画像データを送る際のデータをメモリカード１０９から読み込むようにしているが、デジタルカメラで撮影されている画像をメモリカード１０９に保存せずに、またはメモリカードに１０９保存すると同時に、パソコンに転送するようにしても良い。あるいは、デジタルカメラに画像データ用のメモリカード１０９を搭載せず、撮影された画像をパソコンに直接転送するようにしても構わない。
【００３７】
また、上述した実施形態では、デジタル機器としてデジタルカメラを例にとったが、これに限るものではない。例えばデジタル機器としては、ＡＶ機器、パソコン、携帯端末、携帯電話などの、通信によりデータを送受信できるデジタル機器であれば構わない。
【００３８】
また、上述した実施形態では、外部装置としてパソコンを例にとったが、これに限るものではない。例えば外部機器として、プリンタ、携帯端末、携帯電話、ＡＶ機器、サーバなどの、通信によりデータを送受信できる機器であれば構わない。
【００３９】
さらにまた、上述した実施形態による通信種別および分別処理は一例であって、これに限るものではないことは言うまでもない。
【００４０】
【発明の効果】
以上のように本発明によれば、ユーザが、デジタルカメラなどのデジタル機器を外部装置に接続して行った作業（処理動作）の内容、すなわち通信の種別を判断することにより、接続が断となった後のデジタル機器の電源の状態を、適切に（適応的に）制御することができ、使い勝手を損なわず、かつ、必要な場面には自動的に電源をオフするようにできるので、電池を電源とするデジタル機器の、ユーザによる電源の切り忘れによる電池の消耗を回避できる。
【図面の簡単な説明】
【図１】本発明の一実施形態に係るデジタルカメラの構成図である。
【図２】本発明の一実施形態に係るデジタルカメラにおける、処理フロー例を示すフローチャートである。
【図３】本発明の一実施形態に係るデジタルカメラにおける、通信種別の分類例を表で示す説明図である。
【符号の説明】
１０１  カメラユニット
１０２  Ａ／Ｄコンバータ
１０３  ＣＰＵ
１０３ａ  通信種別判断手段
１０３ｂ  通信種別保持手段
１０３ｃ  接続検出手段
１０３ｄ  電源制御手段
１０４  作業用メモリ
１０５  ＣＯＤＥＣ
１０６  作業用メモリ
１０７  サブＣＰＵ
１０８  操作キー群
１０９  メモリカード
１１０  ＰＨＹ部（インターフェース回路部）
１１１  パソコン接続端子
１１２  Ｄ／Ａコンバータ
１１３  出力回路
１１４  液晶モニタ
１１５  電源回路
【図１】
2005011200.tif 000003
【図２】
2005011200.tif 000004
【図３】
2005011200.tif 000005